(57)【要約】【課題】  ラインストーン等の装飾部品を整列させる作業を容易にして、作業性と作業効率の向上を図ることができる装飾部品整列具を提供すること。【解決手段】  本願発明による装飾部品配列具は、軌道部材と、上記軌道部材に沿って所定のピッチずつ移動する位置決め部材と、上記軌道部材に沿って移動して上記位置決め部材によってその位置を規定されると共に複数個の装飾部品を所定の位置に整列させる為の整列凹部を備えた配列部材と、を具備した構成になっているので、上記軌道部材と位置決め部材によって配列部座の位置を決め、後は、配列部材の配列凹部に装飾部品を嵌合させるだけで、装飾部品を所定位置に配列することが可能になり、作業性と作業効率を向上させることができるものである。【選択図】  図１
2005256240.tif 000002
【特許請求の範囲】
【請求項１】
軌道部材と、
上記軌道部材に沿って所定のピッチずつ移動する位置決め部材と、
上記軌道部材に沿って移動して上記位置決め部材によってその位置を規定されると共に複数個の装飾部品を所定の位置に整列させる為の整列凹部を備えた配列部材と、
を具備したことを特徴とする装飾部品配列具。
【請求項２】
請求項１記載の装飾部品配列具において、
上記軌道部材、位置決め部材、配列部材はパレット上に載置されていて、該パレットには装飾部品が外部に飛散しないように外堤部が設けられていることを特徴とする装飾部品配列具。
【請求項３】
請求項１又は請求項２記載の装飾部品配列具において、
上記軌道部材の所定ピッチとは、視覚障害者用の点字１文字に対応して設定されていることを特徴とする装飾部品配列具。
【請求項４】
請求項３記載の装飾部品配列具において、
上記配列部材の整列凹部は、整列部材の一方の辺に形成され点字のｉ、ｉｉ、ｉｉｉの点を位置決めするための第１整列凹部と、他方の辺に形成され点字のｉｖ、ｖ、ｖｉの点を位置決めするための第２整列凹部とから構成されていることを特徴とする装飾部品配列具。
【発明の詳細な説明】
【技術分野】
【０００１】
本発明は、例えば、ラインストーン等の装飾部品を配列するための装飾部品配列具に係り、特に、作業性と作業効率の向上を図ることができるように工夫したものに関する。
【背景技術】
【０００２】
例えば、ラインストーンと称される装飾部品を衣服の任意の場所に溶着・固定して装飾することが行われている。この場合には次のような手順で行われる。まず、所定のポイントが記された紙があり、該紙のポイント上にラインストーンを載置・配列させる。次に、それらのラインストーンを粘着剤付フィルムに転移させる。次に、ラインストーンを接着・保持している上記粘着剤付フィルムを衣服の所定の場所に当てて熱圧着を施す。それによって、衣服に所定の装飾を施すことができる。
【０００３】
又、上記とは別の方法もある。まず、プレートがあり、該プレートには点字サイズの穴が開けられている。上記プレートの穴内にラインストーンを表向きにして嵌合させる。次に、それらのラインストーンを粘着剤付フィルムに転移させる。後は、上記した方法の場合と同様に、ラインストーンを接着・保持している上記粘着剤付フィルムを衣服の所定の場所に当てて熱圧着を施す。それによって、衣服に所定の装飾を施すことができる。
【０００４】
尚、同種の内容を開示するものとして、例えば、特許文献１がある。
【０００５】
【特許文献１】特開２００４−２７４１２号公報
【０００６】
又、何れの方法においても、ラインストーンを接着・保持している上記粘着剤付フィルムを衣服の所定の場所に当てて熱圧着を施す場合には、超音波接着機が使用される。この超音波接着機は、超音波発振器等からなる超音波接着機本体と、その超音波接着機本体に接続されたハンドピース等から構成されている。
【０００７】
上記ハンドピースは、円筒状のハンドピース本体と、このハンドピース本体の先端に取り付けられた超音波振動子等から構成されている。上記超音波振動子の先端にはホーンが取り付けられている。
【０００８】
上記構成において、接着・固定作業は次のようにして行われる。まず、作業員がハンドピースを把持してホーンの先端面をラインストーンを接着・保持している粘着剤付フィルムの所定個所に対向・配置させる。その状態でスイッチをオンすることにより該フィルムに接着・保持されているラインストーンを衣服の所定個所に接着・固定させるものである。
【発明の開示】
【発明が解決しようとする課題】
【０００９】
上記従来の構成によると次のような問題があった。  
まず、複数個のラインストーンを整列・配置させる作業が非常に面倒であった。すなわち、従来の場合は、基本的には、ラインストーン一粒ずつ整列させていく必要がある。具体的に説明すると、ラインストーン一粒ずつを、例えば、ピンセットで摘んで、紙に記したポイントに載置していく作業となる。その為、作業に長い時間と多くの労力を要してしまうという問題があった。
又、一旦、所定位置に載置したラインストーンがずれてしまうようなこともあった。
【００１０】
本発明はこのような点に基づいてなされたものでその目的とするところは、ラインストーン等の装飾部品を整列させる作業を容易にして、作業性と作業効率の向上を図ることができる装飾部品整列具を提供することにある。
【課題を解決するための手段】
【００１１】
上記課題を解決するべく本願発明の請求項１による装飾部品配列具は、軌道部材と、上記軌道部材に沿って所定のピッチずつ移動する位置決め部材と、上記軌道部材に沿って移動して上記位置決め部材によってその位置を規定されると共に複数個の装飾部品を所定の位置に整列させる為の整列凹部を備えた配列部材と、を具備したことを特徴とするものである。
又、請求項２による装飾部品配列具は、請求項１記載の装飾部品配列具において、上記軌道部材、位置決め部材、配列部材はパレット上に載置されていて、該パレットには装飾部品が外部に飛散しないように外堤部が設けられていることを特徴とするものである。
又、請求項３による装飾部品配列具は、請求項１又は請求項２記載の装飾部品配列具において、上記軌道部材の所定ピッチとは、視覚障害者用の点字１文字に対応して設定されていることを特徴とするものである。
又、請求項４による装飾部品配列具は、請求項３記載の装飾部品配列具において、上記配列部材の整列凹部は、配列部材の一方の辺に形成され点字のｉ、ｉｉ、ｉｉｉの点を位置決めするための第１整列凹部と、他方の辺に形成され点字のｉｖ、ｖ、ｖｉの点を位置決めするための第２整列凹部とから構成されていることを特徴とするものである。
【発明の効果】
【００１２】
以上述べたように本願発明による装飾部品配列具は、軌道部材と、上記軌道部材に沿って所定のピッチずつ移動する位置決め部材と、上記軌道部材に沿って移動して上記位置決め部材によってその位置を規定されると共に複数個の装飾部品を所定の位置に整列させる為の整列凹部を備えた配列部材と、を具備した構成になっているので、上記軌道部材と位置決め部材によって配列部座の位置を決め、後は、配列部材の配列凹部に装飾部品を嵌合させるだけで、装飾部品を所定位置に配列することが可能になり、作業性と作業効率を向上させることができるものである。
又、上記軌道部材、位置決め部材、配列部材をパレット上に載置して、該パレットに装飾部品が外部に飛散しないように外堤部が設けた場合には、装飾部品の飛散を防止して効率の良い作業を行うことができるものである。
又、上記軌道部材の所定ピッチを視覚障害者用の点字１文字に対応して設定さした場合には、それに対応した所定の配列を実現することができる。
又、上記配列部材の整列凹部を、配列部材の一方の辺に形成され点字のｉ、ｉｉ、ｉｉｉの点を位置決めするための第１整列凹部と、他方の辺に形成され点字のｉｖ、ｖ、ｖｉの点を位置決めするための第２整列凹部とから構成した場合には、一枚の配列部材によって所定の点字１文字分の装飾部品の配列が可能になる。
【発明を実施するための最良の形態】
【００１３】
以下、図１乃至図４を参照して本発明の一実施の形態を説明する。図１に示すように、まず、パレット１がある。このパレット１の外周縁部には外堤部３が突設されていて、装飾部品としてのラインストーン５がパレット１の外に飛散することを防止している。
【００１４】
上記パレット１上には軌道部材７が設置されている。この軌道部材７には複数個の凸部９が所定のピッチで設けられている。上記所定のピッチとは、視覚障害者用の点字一文字を一単位として点字一文字毎に所定の間隔で設定されたものである。
【００１５】
上記軌道部材７上には位置決め部材１１が移動可能に設置されている。上記位置決め部材１１側には上記軌道部材７側の凸部９に係合する図示しない係合部が設けられている。そして、上記軌道部材７側の１ピッチ単位で移動してその位置を決めることができるようになっている。
【００１６】
上記軌道部材７の一面に押し当てられた状態で移動すると共に上記位置決め部材１１によってその位置を規定される配列部材１３が設置されている。この配列部材１３には、図２に示すように、その一方の辺には、点字のｉ、ｉｉ、ｉｉｉの点を位置決めするための第１整列凹部１５が波型状に形成されている。又、他方の辺には、点字のｉｖ、ｖ、ｖｉの点を位置決めするための第２整列凹部１７が波型状に形成されている。
【００１７】
上記第２整列凹部１７は上記第１整列凹部１５に比べて所定量だけ深い位置に形成されている。
【００１８】
以上の構成を基にその作用を説明する。
まず、図１に示すように、パレット１上に複数個のラインストーン５を載置して、例えば、葉書、又は、同等の厚みの板を用いて、ラインストーン５を表向きにする。これは、パレット１上に載置した複数個のラインストーンな５を上記葉書等に当てながら移動させることにより、略山形形状をなしているラインストーン５は表向きの状態に自動的に矯正される。
【００１９】
次に、図３に示すように、位置決め部材１１によって位置決めを行った後、配列部材１３を軌道部材１に押し当てると共に位置決め部材１１にも押し当てて、所定の位置に設置する。その際、点字のｉ、ｉｉ、ｉｉｉの点を位置決めするための第１整列凹部１５が図３中左上に位置するようにする。そして、上記第１整列凹部１５を使用して３個のラインストーン５を所定の位置に位置決めする。
【００２０】
次に、図４に示すように、同じ状態において、整列部材１３を反対向きにして、点字のｉｖ、ｖ、ｖｉの点を位置決めするための第２整列凹部１７が図４中左上に位置するようにする。それによって、残りの３個のラインストーン５を所定の位置に位置決めする。これらの作業によって、一点字分のラインストーン５の整列作業が完了することになる。
尚、図３、図４に示す場合には、既に左側から３点字分の配列が完了していて、４個目の点字分の６個のラインストーン５を配列する作業を行っている様子を示しているものである。
【００２１】
後は、位置決め部材１１を１ピッチずつ移動させながら同様の作業を繰り返し実行する。それによって、１行分のラインストーン５の整列作業が終了することになる。
次に、これらを図示しないフィルムに転移して、超音波接着機を使用した接着・固定作業を行うことになる。
【００２２】
以上本実施の形態によると次のような効果を奏することができる。
まず、軌道部材７と、上記軌道部材７に沿って所定のピッチずつ移動する位置決め部材１１と、上記軌道部材７に沿って移動して上記位置決め部材１１によってその位置を規定されると共に複数個のラインストーン５を所定の位置に整列させる為の第１整列凹部１５、第２整列凹部１７を備えた配列部材１３とを具備した構成になっているので、上記軌道部材７と位置決め部材１１によって配列部材１３の位置を決め、後は、配列部材１３の上記第１整列凹部１５、第２整列凹部１７にラインストーン５を嵌合させるだけで、ラインストーン５を所定位置に配列することが可能になり、作業性と作業効率を向上させることができるものである。
又、上記軌道部材７、位置決め部材１１、配列部材１３をパレット１上に載置して、該パレット１にラインストーン５が外部に飛散しないように外堤部３が設けられているので、ラインストーン５の飛散を防止して効率の良い作業を行うことができるものである。
又、配列部材１３には、点字のｉ、ｉｉ、ｉｉｉの点を位置決めするための第１整列凹部１５と、点字のｉｖ、ｖ、ｖｉの点を位置決めするための第２整列凹部１７とが設けられているので、一枚の配列部材１３によって所定の点字１文字分のライトストーン５の配列が可能になる。
【００２３】
尚、本発明は前記一実施の形態に限定されるものではない。
まず、装飾部品としては、ラインストーン以外にも様々なものが考えられる。
その他、図示した各部の構成は明くまで一例である。
【産業上の利用可能性】
【００２４】
本発明は、例えば、ラインストーン等の装飾部品を配列するための装飾部品配列具に係り、特に、作業性と作業効率の向上を図ることができるように工夫したものに関し、例えば、視覚障害者用の作業具として好適である。
【図面の簡単な説明】
【００２５】
【図１】本発明の一実施の形態を示す図で、ラインストーン整列具の構成を示す斜視図である。
【図２】本発明の一実施の形態を示す図で、ラインストーン整列具の整列部材の平面図である。
【図３】本発明の一実施の形態を示す図で、ラインストーンの整列作業を説明するための斜視図である。
【図４】本発明の一実施の形態を示す図で、ラインストーンの整列作業を説明するための斜視図である。
【符号の説明】
【００２６】
１  パレット
３  外堤部
５  ラインストーン（装飾部品）
７  軌道部材
９  凸部
１１  位置決め部材
１３  整列部材
１５  第１整列凹部
１７  第２整列凹部
【図１】
2005256240.tif 000003
【図２】
2005256240.tif 000004
【図３】
2005256240.tif 000005
【図４】
2005256240.tif 000006